(57)【要約】【課題】操作性が優れ、小型化が可能な呼び登録装置及び呼び登録方法の提供。【解決手段】呼び登録装置２は、乗客の行先階を登録するための信号を入力する入力部と、行先階の情報を表示する表示部と、入力部より入力された信号に基づいて表示部の表示を切換制御するとともに、所定の行先階を登録するコントローラ３とを備えている。コントローラ３は、エレベータのかごが停止する複数の行先階を複数のブロックに分けて格納する記憶部９を備え、入力部からのブロック選択信号に対応するブロックのデータを記憶部９から読み出し表示部へ表示させ、入力部からのブロック指定信号に対応するブロックの行先階群データを記憶部９から読み出し表示部へ表示させ、入力部からの行先階指定信号に対応する行先階を登録する。【選択図】図１
2005162344.tif 000002
【特許請求の範囲】
【請求項１】
行先階を登録するための信号を入力する入力部と、
複数の行先階を含むブロックのデータを表示する表示部と、
前記入力部より入力された信号に基づいて前記表示部の表示を切換制御するとともに、所定の行先階を登録するコントローラとを備え、
前記コントローラは、
エレベータのかごが停止する複数の行先階を複数のブロックに分けて格納する記憶部を有し、
前記入力部からのブロック選択信号に対応するブロックのデータを前記記憶部から読み出し前記表示部に表示させ、
前記入力部からの入力信号に基づいて前記ブロックのデータに含まれた行先階を登録することを特徴とする呼び登録装置。
【請求項２】
前記コントローラは、
前記入力部からのブロック指定信号に対応するブロックの行先階群データを前記記憶部から読み出し前記表示部に表示させ、
前記入力部からの行先階指定信号に対応する行先階を登録することを特徴とする請求項１に記載の呼び登録装置。
【請求項３】
前記表示部はタッチパネルで構成され、前記入力部の役割も兼ねることを特徴とする請求項１または２に記載の呼び登録装置。
【請求項４】
入力部から入力された乗客の行先階を登録するための信号に応じて、エレベータのかごの停止する複数の行先階が複数のブロックに分けて格納された情報を記憶部から読み出し、行先階の情報を表示部に表示させるとともに、所定の行先階を登録する呼び登録方法であって、
ブロック画面表示としてブロックのデータを前記表示部に表示させるステップと、
前記ブロックのデータの表示後、前記入力部からのブロック選択信号が検出された場合に、前記ブロック選択信号に対応するブロックのデータを前記表示部に表示させるステップと、
前記入力部からの入力信号に対応して、前記表示部に表示されたブロックのデータに含まれる行先階を登録するステップとを備えることを特徴とする呼び登録方法。
【請求項５】
前記ブロックデータの表示後、前記入力部からのブロック指定信号の入力の有無を検出するステップと、
前記入力部からのブロック指定信号が検出された場合に、前記ブロック指定信号に対応する行先階群データを前記表示部に表示させるステップと、
前記行先階群データの表示後、前記入力部からの行先階指定信号の入力の有無を検出するステップと、
前記行先階指定信号が検出された場合に、前記入力部からの行先階指定信号に対応する行先階を登録するステップとを備えることを特徴とする請求項４に記載の呼び登録方法。
【発明の詳細な説明】
【技術分野】
【０００１】
この発明は、エレベータのかごの行先階を登録する呼び登録装置及び呼び登録方法に関するものである。
【背景技術】
【０００２】
従来の呼び登録装置は、押しボタン式のものが一般的に用いられていた。押しボタン式は、可動部である押しボタンを操作することにより、内部の接点が開閉しエレベータの行先階を登録するための信号を出力するものである。しかし、この押しボタンの可動部と固定枠との間に塵挨が付着して固着することがあった。また、押しボタンの摺動磨耗により経年的に傷みが増大し、押しボタンの固定枠に対する可動部の傾きが増大して押しボタンの可動部と固定枠とが固着することがあった。このような問題点を解決するために、押しボタン相当部をタッチパネルとし、タッチパネル周辺に呼び登録用応答灯として発光素子を配置する呼び登録装置がある（例えば、特許文献１参照）。
【０００３】
【特許文献１】特開昭６２−８８７８８号公報（第４−５頁、第１図）
【発明の開示】
【発明が解決しようとする課題】
【０００４】
しかし、従来の呼び登録装置では、例えば、建造物内の停止階床（停止位置）に対応する数字（文字）を記したボタン（タッチパネル）を設けているため、特に超高層ビルではかごの停止階床が多くなり、ボタンの数が増大することとなる。したがって、ボタンを配置するスペースが増大し、呼び登録装置の大型化を余儀なくされていた。
【０００５】
また、ユーザにできるだけ見やすく配置するためにボタンの配置間隔を十分に確保する必要があり、多数のボタンを配置する場合には、子供や車椅子利用者、老人の背丈以上の高さにボタンが配置されることもあり、ボタンに手が届かず、エレベータの操作が容易にできないことがあった。さらに、多数のボタンの中から、所定のボタンを選択することはユーザにとって煩わしく、容易にボタンを選択可能な呼び登録装置及び呼び登録方法がユーザから要求されていた。
【０００６】
この発明は、上記のような問題点を解決するためになされたものであり、操作性が優れ、小型化が可能な呼び登録装置及び呼び登録方法を得ることを目的とする。
【課題を解決するための手段】
【０００７】
本願発明にかかる呼び登録装置は、行先階を登録するための信号を入力する入力部と、複数の行先階を含むブロックのデータを表示する表示部と、入力部より入力された信号に基づいて表示部の表示を切換制御するとともに、所定の行先階を登録するコントローラとを備え、コントローラは、エレベータのかごが停止する複数の行先階を複数のブロックに分けて格納する記憶部を有し、入力部からのブロック選択信号に対応するブロックのデータを記憶部から読み出し表示部に表示させ、入力部からの入力信号に基づいてブロックのデータに含まれた行先階を登録することを特徴とする。
【発明の効果】
【０００８】
本願発明にかかる呼び登録装置及び呼び登録方法によれば、複数の行先階を含むブロックのデータを表示し、乗客の操作によりブロックのデータの表示に換えて行先階群データを表示し、さらに乗客の操作により所定の行先階を登録するので操作性を向上させつつ、装置の小型化を可能にすることができる効果がある。
【発明を実施するための最良の形態】
【０００９】
実施の形態１．
以下、本発明の実施の形態について説明する。図１は、この発明の実施の形態１による呼び登録装置を含むシステムを示すブロック図である。図１において、エレベータ制御装置１は、呼び登録装置２からの行先階を登録する信号に基づいて、エレベータのかごの昇降を制御する。呼び登録装置２は、エレベータ制御装置１に接続されたコントローラ３と、乗客の行先階の情報を入力するとともにエレベータの行先階の登録に必要な情報を表示するタッチパネル４とを備えている。
【００１０】
タッチパネル４は、指タッチ式タッチパネルになっており、エレベータの行先階の情報を表示する表示部と乗客の行先階の情報を入力する入力部とを兼ねている。従って、乗客がタッチパネル４の所定部分を押すことにより、乗客の行先階の情報を入力できるようになっている。
【００１１】
コントローラ３は、タッチパネル４より入力された乗客の行先階の情報に基づいて、所定の行先階の情報を表示部に表示させるとともに、かごの行先階を登録する信号を出力する。このコントローラ３は、記憶部９を備えている。記憶部９は、エレベータのかごが停止する複数の行先階を複数のブロックに分けて格納している。例えば、建物の階数が２０階ある場合には、これらの階を１〜１０階のブロックと１１〜２０階のブロックとに分けて記憶している。
【００１２】
ここで、図２に、図１のタッチパネル４の初期表示例を示す。図において、タッチパネル４の表示部の中央部には、行先階選択ボタン表示部６が表示されている。その上部と下部とには、上方向画面切換え表示部５と下方向画面切換え表示部７がそれぞれ表示されている。表示例では行先階選択ボタン表示部６は、複数の行先階を含むブロックのデータとして、図２に示すように「１〜１０」階のブロックデータを表示している。
【００１３】
また、図３に、図２に示すタッチパネル４の初期表示例からブロックの選択により切換えられたタッチパネル４の切換表示例を示す。例えば、上方向画面切換え表示部５を乗客が操作すれば、行先階選択ボタン表示部６に「１１〜２０」階のブロックのデータを表示する。
【００１４】
さらに、図４に、タッチパネル４の最終的な切換表示例を示す。表示例では、詳細行先階選択ボタン表示部８として、行先階のデータである１１階、１２階、・・・、２０階を示すボタンが表示されている。
【００１５】
次に、実施の形態１のエレベータの呼び登録方法について説明する。図５に、一例として、コントローラ３によるエレベータの呼び登録の制御内容の説明用フローチャートを示す。以下、１５階の呼び登録をする場合を例にフローを説明する。
【００１６】
エレベータの呼び登録方法は、以下のステップＳ１〜Ｓ７で構成されている。乗客がエレベータのかごに乗り、エレベータのドアが戸閉した初期状態では、図２で示されるようなタッチパネル４のブロック画面が表示されている（ステップＳ１）。
【００１７】
この状態で先ず、行先階選択ボタン表示部６が操作されたかが確認される（ステップＳ２）。
行先階選択ボタン表示部６が操作されていない場合には、上方向画面切換表示部５または下方向画面切換表示部７が操作されたかが確認される（ステップＳ３）。
なお、行先階選択ボタン表示部６、上方向画面切換表示部５及び下方向画面切換表示部７のいずれかが操作されるまでは、そのままのブロック表示が継続される。
【００１８】
上方向画面切換表示部５または下方向画面切換表示部７が操作されている場合には、ブロックのデータが所定のブロックのデータに切換えられる（ステップＳ４）。そして、ステップ１に戻り、ブロック表示として該所定のブロックのデータを行先階選択ボタン表示部６に表示する。
【００１９】
具体的には、ブロック画面で表示されたブロックの表示に乗客の行先階が含まれていない場合は、行先階選択ボタン表示部６を操作しないで、乗客が上方向画面切換え表示部５、又は下方向画面切換え表示部７を操作する。そして、表示部が操作されることにより入力された所定のブロックに切換えるブロック選択信号に応じて、図１のコントローラ３は、所定のブロックのデータを記憶部から読み出し、所定のブロックのデータがタッチパネル４の行先階選択ボタン表示部６に表示される。すなわち、ブロックの表示を切換えて所定のブロックに切換えて表示される。例えば、行先階選択ボタン表示部６に表示されているブロックのデータ（１〜１０Ｆ）よりも上方に乗客の行先階（１５Ｆ）がある場合には、上方向画面切換え表示部５を操作することにより、行先階選択ボタン表示部６の表示がブロックのデータ（１１〜２０Ｆ）に切換わる。
【００２０】
ブロックが複数ある場合には、ステップＳ１〜Ｓ４を繰返し行う。すなわち、所定の回数上方向画面切換え表示部５、又は下方向画面切換え表示部７を操作してブロックの表示を切換えて、行先階選択ボタン４に乗客の行先階が含まれるブロックを表示させるものである。
【００２１】
ここで、本実施の形態では、複数の行先階は、例えば、低層階から高層階の順に複数のブロックに分けている。乗客の行先階が、表示されているブロックよりも高層階にある場合には、乗客が表示部の上方向画面切換え表示部５を操作する。これにより、表示されたブロックのデータよりも高層階のブロックのデータに切換えるブロック選択信号が入力される。コントローラ３は、入力された高層階のブロックに切換えるブロック選択信号に応じて、高層階のブロックのデータを表示部へ出力する。そして、高層階のブロックのデータが表示部の行先階選択ボタン表示部６に表示される。
同様の動作で、下方向面切換え表示部７が操作されることにより、低層階のブロックのデータが行先階選択ボタン表示部６に表示される。
【００２２】
ブロック表示がされた後、行先階選択ボタン表示６が操作されると、指定されたブロックに対応した行先階群データの表示がされる（ステップＳ５）。
具体的には、ブロック画面のブロックの表示に乗客の行先階が含まれている場合は、乗客が行先階選択ボタン表示部６を操作して所定のブロックを指定するブロック指定信号がコントローラ３に入力される。コントローラ３は、入力部より入力されたブロック指定信号に応じて、所定の行先階群データを記憶部９から読み出し、行先階群データをタッチパネル４へ出力する。そして、図４に示すようにタッチパネル４の表示部の表示を切換えて、行先階群データを表示する詳細行先階選択ボタン表示部８を表示させる。例えば、行先階選択ボタン表示部６に表示されたブロックの表示（１１〜２０Ｆ）に乗客の行先階（１５Ｆ）が含まれている場合には、乗客が先階選択ボタン表示部６を操作する。これにより、タッチパネル４の表示部の表示が行先階群データ（１１Ｆ、１２Ｆ、・・・、２０Ｆ）を表示する詳細行先階選択ボタン表示部８に切換わる。
【００２３】
詳細行先階選択ボタン表示部８の表示が完了した後、詳細行先階選択ボタン表示部６が操作されたかが確認される（ステップＳ６）。そして、詳細行先階選択ボタン表示部６が操作されるまで、行先階群データの表示が継続される。
【００２４】
詳細行先階選択ボタン表示部６が操作されると、呼び登録装置２は、呼び登録信号を出力する（ステップＳ７）。
具体的には、詳細行先階選択ボタン表示部８のうち所定の行先階のデータを表示する部分が乗客により操作されることにより、所定の行先階を指定する行先階指定信号が入力される。呼び登録装置２は、この行先階指定信号に応じてエレベータのかごの行先階を登録する信号をエレベータ制御装置１に出力する。この出力信号に基づいてエレベータ制御装置１に所定の行先階が登録される。
【００２５】
例えば、乗客の行先階が１５Ｆである場合、図４のように、タッチパネル４に表示された詳細行先階選択ボタン表示部８の１５Ｆと表示された部分を、乗客が操作することにより、行先階である１５Ｆを登録することができる。
【００２６】
行先階の登録が完了した後、タッチパネル兼ディスプレイ装置の表示をブロック画面にして、次の行先階を登録するための状態に戻る。
【００２７】
以上のような呼び登録装置は、登録に必要な行先階の情報を限定して表示部に表示するようにしているので、視認性を向上させつつ、装置の小型化を実現することができる。また、登録に必要な行先階の情報が表示された表示部を操作することにより、乗客の行先階の入力ができるので、呼び登録装置の操作性を向上させることができる。
【００２８】
また、以上のような呼び登録方法によれば、登録に必要な行先階の情報を限定して表示部に表示し、乗客の行先階の情報を入力するようにしているので、操作性を向上することができる。
【００２９】
なお、既述のブロック画面の例としては、行先階選択ボタン表示部６の表示に、使用頻度の高い停止階を含むブロックのデータを表示するものが挙げられる。これにより、乗客が上方向切換え表示部５を押して、行先階選択ボタン表示部６の表示を切換える操作の回数の減少を期待することができる。
【００３０】
また、図２及び図３に示された行先選択ボタン表示部６の表示の配置関係は一例であり、用途によって、タッチパネル４の表示部の表示の配置を変更しても同様の操作が可能である。さらに、タッチパネル４の表示部と入力部を別個の構成とし、表示部に表示された登録に必要な行先階の情報（ブロックのデータまたは行先階群データ）を基に、入力部から所定の行先階を登録するための信号（ブロック選択信号、ブロック指定信号または行先階指定信号）を入力するようにしても良い。
【図面の簡単な説明】
【００３１】
【図１】この発明の実施の形態１による呼び登録装置を含むシステムを示すブロック図である。
【図２】図１のタッチパネル兼ディスプレイ装置の行先表示の一例を示す正面図である。
【図３】図１のタッチパネル兼ディスプレイ装置の行先表示の他の例を示す正面図である。
【図４】図１のタッチパネル兼ディスプレイ装置の詳細行先表示の一例を示す図である。
【図５】実施の形態１のエレベータの呼び登録操作の説明用フローチャートである。
【符号の説明】
【００３２】
１  エレベータ制御装置、２  呼び登録装置、３  コントローラ、４  タッチパネル、５  上方向画面切換え表示部（入力部）、６  行先階選択ボタン表示部（入力部）、７  下方向画面切換え表示部（入力部）、８  詳細行先階選択ボタン表示部（入力部）、９  記憶部。
【図１】
2005162344.tif 000003
【図２】
2005162344.tif 000004
【図３】
2005162344.tif 000005
【図４】
2005162344.tif 000006
【図５】
2005162344.tif 000007